(57)【要約】【課題】収納スペースを拡張可能なスーツケースを提供する。【解決手段】本発明の収納スペースを拡張可能なスーツケースは、第一ケースと、第二ケースと、両端が前記第一ケース及び前記第二ケースにそれぞれ連結され、前記第一ケースと前記第二ケースとの間に収納スペースを形成させる可撓性部材と、コントローラとを備える。前記コントローラは第一部材及び第二部材を有し、前記第一部材は前記第一ケースに設置される。前記第二部材は前記第二ケースに設置され、前記第一部材に対応させる。前記第一部材は第一位置と第二位置との間で移動を行う。前記第一部材が前記第一位置まで移動すると、前記第一ケースが前記第二ケースに近接させ、且つ前記可撓性部材が湾曲されることにより前記収納スペースが縮小される。前記第一部材が前記第二位置まで移動すると、前記第一ケースが前記第二ケースから離間させることにより前記収納スペースが拡大される。【選択図】図３
2019111273.tif 000002
【特許請求の範囲】
【請求項１】
第一ケースと、
第二ケースと、
両端が前記第一ケース及び前記第二ケースにそれぞれ連結され、前記第一ケースと前記第二ケースとの間に収納スペースを形成させる可撓性部材と、
第一部材と、第二部材以と、ロック解除装置とを有し、前記第一部材は前記第一ケースに設置され、前記第二部材は前記第二ケースに設置されると共に前記第一部材に対応させ、前記第一部材は外端にフック部を有するラッチ部材を具備し、前記第二部材の一側には側面開口部を有し、前記側面開口部内には止部を有するロック部材を含み、前記第一部材のラッチ部材は前記第二部材の側面開口部から進入し、前記第一部材が第一位置と第二位置との間で移動を行い、前記第一部材が前記第一位置まで移動すると、前記第一部材が前記第二部材に接近させ、且つ前記ラッチ部材のフック部が前記ロック部材の止部にロックされ、第一部材が前記第二位置まで移動すると、前記第一部材が前記第二部材から離間させ、前記ロック解除装置は前記第一部材及び前記第二部材の内の何れか１つに設置されると共に前記ラッチ部材のフック部と前記ロック部材の止部とを分離させるために用いられ、前記第一部材が前記第一位置から前記第二位置まで移動を行うコントローラとを備え、
これにより、前記第一部材が前記第一位置まで移動すると、前記第一ケースが前記第二ケースに接近させ、且つ前記可撓性部材が湾曲されることにより前記収納スペースが縮小され、前記第一部材が前記第二位置まで移動すると、前記第一ケースが前記第二ケースから離間させることにより前記収納スペースが拡大されることを特徴とする収納スペースを拡張可能なスーツケース。
【請求項２】
前記第一部材は前記第一ケースに固定される本体を有し、前記本体には前記ラッチ部材が設置され、前記ラッチ部材の一端は前記本体に連結され、他端は浮き上がった状態を呈すると共に前記フック部を形成させることを特徴とする請求項１に記載の収納スペースを拡張可能なスーツケース。
【請求項３】
前記本体は前記ラッチ部材が設置される開口部を有することを特徴とする請求項２に記載の収納スペースを拡張可能なスーツケース。
【請求項４】
前記第二部材はベース及びカバーを有し、前記ベースは前記第二ケースに固定され、前記カバーは前記ベースに連結されることを特徴とする請求項１に記載の収納スペースを拡張可能なスーツケース。
【請求項５】
前記ロック解除装置は前記カバーに設置される弾性部材を備え、前記弾性部材の一端は前記カバーに連結され、他端は浮き上がった状態を呈すると共に制動部を形成させ、前記カバーは前記制動部に近接する箇所に前記ロック部材が設置されることを特徴とする請求項４に記載の収納スペースを拡張可能なスーツケース。
【請求項６】
前記第二部材は、前記カバー及び前記ベースを貫通させ、前記カバー及び前記ベースを結合させるためのプラグを更に有することを特徴とする請求項４に記載の収納スペースを拡張可能なスーツケース。
【請求項７】
前記ベースは１対の細長いスロットを有し、前記プラグは前記２つの細長いスロットを貫通させ、前記カバーに前記２つの細長いスロット上で延伸される範囲内で前記ベースに対して移動を行わせることを特徴とする請求項６に記載の収納スペースを拡張可能なスーツケース。
【請求項８】
前記第一ケースには前記第一部材が設置される凹部が設けられ、前記第二ケースには前記第二部材が設置される凹部が設けられ、且つ前記第一部材及び前記第二部材の高さは共にこれら前記凹部よりも低いことを特徴とする請求項１に記載の収納スペースを拡張可能なスーツケース。
【請求項９】
前記第一部材及び前記第二部材は前記第一ケース及び前記第二ケースの内側面にそれぞれ設置されることを特徴とする請求項１に記載の収納スペースを拡張可能なスーツケース。
【発明の詳細な説明】
【技術分野】
【０００１】
本発明は、スーツケースに関し、より詳しくは、収納スペースを拡張可能なスーツケースに関する。
【背景技術】
【０００２】
現代社会では、一般的に人々は外出時にスーツケースを携帯して旅行や出張を行うが、スーツケースのサイズ選びで迷うことがある。サイズが小さすぎれば荷物が入りきらずに旅程に影響が及び、サイズが大きすぎれば運搬が困難になり、１つ以上のスーツケースを携帯すれば運輸コストが増すことになる。従来のスーツケースは設計上どれもサイズが固定されており、一般的な使用者が旅行中に臨機応変に収納スペースの大きさを調整できなかった。
【０００３】
このため、従来はスーツケースの収納スペースを増加させるため、第一ケース及び第二ケースの連結箇所が可撓性部材により連結され、且つ前記第一ケースと前記第二ケースとの間の外囲にはファスナーが縫合されてこれら前記２つのケースを結合させて定位させている。使用者が前記スーツケースの収納スペースを拡大させる場合、前記第一ケースと前記第二ケースとの間の対応し合う周囲の間の前記ファスナーを完全に開いて前記第一ケースと前記第二ケースとの間の可撓性部材を展開させる。このような構造により前記スーツケースの収納スペースは、前記可撓性部材が展開することにより増加し、前記ファスナーを締めれば前記スーツケースも拡張前の状態に戻る。
【発明の概要】
【発明が解決しようとする課題】
【０００４】
しかしながら、使用者のスーツケースの収納スペースを拡充させるという需要は満たせるが、但し、使用においては前記スーツケースの外囲のファスナーを完全に開かねばならず、前記第一ケースと前記第二ケースとの間のファスナーを完全に開く場合、前記スーツケースをややひっくり返して前記ファスナーのスペースを引っ張り出さねばならないため、力の弱い使用者にとっては困難であり、調整効率も悪く、不便であった。
【０００５】
そこで、本発明者は上記の欠点が改善可能と考え、鋭意検討を重ねた結果、合理的設計で上記の課題を効果的に改善する本発明の提案に到った。
【０００６】
かかる従来の実情に鑑みて、本発明は、収納スペースを拡張可能なスーツケースを提供することを目的とする。
【課題を解決するための手段】
【０００７】
上述した課題を解決し、目的を達成するために、本発明に係る収納スペースを拡張可能なスーツケースの特徴は、第一ケースと、第二ケースと、可撓性部材と、コントローラとを備える。前記可撓性部材の両端は前記第一ケース及び前記第二ケースにそれぞれ連結される。各前記コントローラは第一部材及び第二部材を有し、前記第一部材は前記第一ケースに設置される。前記第二部材は前記第二ケースに設置されると共に前記第一部材に対応させる。前記第一部材は少なくとも１つのラッチ部材を有し、その外端にはフック部を有する。前記第二部材の一側はロック部材を具備する側面開口部を有し、前記ロック部材は前記側面開口部とは反対の一側に止部を有する。前記第一部材は前記第二部材に連結され、且つ第一位置と第二位置との間で移動を行う。前記第一部材が前記第一位置まで移動すると、前記第一部材が前記第二部材に接近させ、且つ前記ラッチ部材のフック部が前記ロック部材の止部にロックされる。前記第一部材が前記第二位置まで移動すると、前記第一部材が前記第二部材から離間させる。
【０００８】
これにより、前記第一部材が前記第一位置まで移動すると、前記第一ケースが前記第二ケースに接近させ、且つ前記可撓性部材が湾曲され、前記収納スペースが縮小される。前記第一部材が前記第二位置まで移動すると、前記第一ケースが前記第二ケースから離間させる。
【発明の効果】
【０００９】
上述の部材の構成及び操作方式により、前記スーツケースのスペースの拡張を容易に達成させ、使用者の需要に臨機応変に対応させる。
【図面の簡単な説明】
【００１０】
【図１】本発明の第１実施形を示す外観斜視図であり、スーツケースが拡張されていない状態である。
【図２】本発明の第１実施例を示す正面図であり、スーツケースが展開されている状態である。
【図３】本発明の第１実施形態のコントローラを示す斜視図である。
【図４】本発明の第１実施形態のコントローラを示す分解図である。
【図５】本発明の第１実施形態のコントローラを示す断面図であり、第１部材が第１位置にある図である。
【図６】本発明の第１実施形態のコントローラを示す断面図であり、第１部材が第２位置にある図である。
【図７】本発明の第２実施形に係る拡張可能なスーツケースを示す外観斜視図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００１２】
以下、図１〜７を参照しながら、本発明をさらに詳しく説明する。まず、図１及び図２に示されるように、本発明の第１好ましい実施形態は、スーツケース１０及び複数のコントローラ２０を備える。前記スーツケース１０は第一ケース１１、第二ケース１２及び可撓性部材１３で構成される。前記可撓性部材１３は前記第一ケース１１及び前記第二ケース１２の対応し合う周辺に縫合され、前記第一ケース１１と前記第二ケース１２とを連結させ、且つ前記第一ケース１１と前記第二ケース１２との間に収納スペースを形成させる。前記第一ケース１１には蓋１５が設置され、蓋１５を開いて物品を前記収納スペースに出し入れすることが可能になる。前記第一ケース１１及び前記第二ケース１２には相互に対応し合う複数の凹部１４がそれぞれ設けられる。各前記コントローラ２０は第一部材３０及び第二部材４０を有し、これら前記第一部材３０は前記第一ケース１１のこれら前記凹部１４中に固定され、これら前記第二部材４０は前記第二ケース１２のこれら前記凹部１４中に固定され、前記第一部材３０と対になって対応し合う状態を呈する。これら前記コントローラ２０の高さはこれら前記凹部１４の深さに等しいかそれより低く、これら前記コントローラ２０がぶつかる危険性を減少させる。 
【００１３】
次は、図３及び図４に示されるように、前記コントローラ２０の第一部材３０は環形を呈する本体３２を有し、その中央部には開口部３４を有し、前記本体３２は前記第一ケース１１に固定される。前記開口部３４中にはラッチ部材３６が設置される。前記ラッチ部材３６の一端は前記本体３２に連結され、他端は浮き上がった状態を呈し、且つ前記浮き上がった一端の箇所にはフック部３８が形成される。
【００１４】
前記第二部材４０はベース４２と、カバー４４と、プラグ４６とを有する。前記ベース４２は底板４８及び前記底板４２の辺縁に連結されるＵ字型の側壁５０を有し、前記底板４２は前記第二ケース１２に固定される。前記側壁５０の対向し合う両側には１対の細長いスロット５２が設けられる。前記カバー４４は天板５４及び前記天板５４の辺縁に連結されるＵ字型の側壁５６を有する。前記側壁５６の対向し合う両側には１対のスルーホール５８が設けられ、前記プラグ４６はこれら前記スルーホール５８及びこれら前記細長いスロット５２を貫通させて前記ベース４２及びカバー４４を結合させ、且つこれら前記側壁５０、 ５６に対向する他側には側方向開口部が形成される。前記カバー４４は開口部６０を有し、前記開口部６０中にはロック解除装置として作用する弾性部材６２が設置される。前記弾性部材６２の一端は前記カバー４４に連結され、他端は浮き上がった状態を呈し、且つ前記浮き上がった一端の箇所には制動部６４が形成される。前記カバー４４は前記制動部６４に隣接する箇所にロック部材６６が設置され、且つ前記ロック部材６６は前記制動部６４に対向する一側に止部６８が形成される。
【００１５】
前記第一部材３０の一端は前記側方向開口部から前記第二部材４０中に挿入され、前記第一部材３０が第一位置と第二位置との間で移動を行う。前記第一部材３０が前記第一位置まで移動すると、前記第一部材３０が前記第二部材４０に接近させ、且つ前記ラッチ部材３６のフック部３８が前記ロック部材６６の止部６４にロックされ、前記第一部材３０が移動不能になる。前記弾性部材４４が押されると、前記制動部６４により前記ラッチ部材３６が圧下され、前記ラッチ部材３６が前記ロック部材６６から離間すると、前記第一部材３０が前記第二部材４０から離間する方向に移動を行い、前記第二位置に到達する。
【００１６】
続いて、図５に示されるように、前記第一部材３０が前記第一位置まで移動すると、前記第一ケース１１が前記第二ケース１２に接近させ、且つ前記可撓性部材１３が湾曲される。この際、前記第二部材４０のカバー４４が押され、前記プラグ４６が前記２つの細長いスロット５２の後端から前端に向けて移動を行い、前記ロック部材６６の止部６８が前記ラッチ部材３６を超過させ、前記ラッチ部材３６のフック部３８が前記ロック部材６６の止部６８にロックされる。この際、前記スーツケース１０が小さな収納スペースを有する状態に固定される。
【００１７】
前記スーツケース１０の体積を増やす場合、前記弾性部材６２を押して前記ラッチ部材３６を下に向けて湾曲させるのみで前記フック部３８が前記ロック部材６６の止部６８から離間させる。これにより、図６に示されるように、前記第一部材３０が前記第二部材４０から離間させる方向の第二位置まで移動を行う。第二位置に到達すると、前記第一ケース１１が前記第二ケース１２から離間させ、前記可撓性部材１３が平らになるように引っ張られ、前記スーツケース１０が大きな収納スペースを有する。
【００１８】
図７は本発明の好ましい第２実施形態に係る拡張可能なスーツケースを図示し、その主要な構造は前述の好ましい実施形態と同じように第一ケース１１と、第二ケース１２と、若干のコントローラ２０とを有し、その差異は、これら前記コントローラ２０が前記第一ケース１１及び第二ケース１２の内側面に設置される点である。好ましい本実施形態の各部材の構造及び効果は前述と同じであるため再述しない。
【００１９】
以上、本発明の実施形態について図面を参照して詳述したが、具体的な構成はこの実施形態に限られるものではなく、本発明の要旨を逸脱しない範囲の設計変更等も含まれる。
【符号の説明】
【００２０】
１０  スーツケース
１１  第一ケース
１２  第二ケース
１３  可撓性部材
１４  凹部
１５  蓋
２０  コントローラ
３０  第一部材
３２  本体
３４  開口部
３６  ラッチ部材
３８  フック部
４０  第二部材
４２  ベース
４４  カバー
４８  底板
５０  側壁
５２  細長いスロット
５４  天板
５６  側壁
５８  スルーホール
６０  開口部
６２  弾性部材
６４  制動部
６６  ロック部材
６８  止部
【図１】
2019111273.tif 000003
【図２】
2019111273.tif 000004
【図３】
2019111273.tif 000005
【図４】
2019111273.tif 000006
【図５】
2019111273.tif 000007
【図６】
2019111273.tif 000008
【図７】
2019111273.tif 000009
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
第一ケースと、
第二ケースと、
両端が前記第一ケース及び前記第二ケースにそれぞれ連結され、前記第一ケースと前記第二ケースとの間に収納スペースを形成させる可撓性部材と、
第一部材と、第二部材と、ロック解除装置とを有し、前記第一部材は前記第一ケースに設置され、前記第二部材は前記第二ケースに設置されると共に前記第一部材に対応させ、前記第一部材は外端にフック部を有するラッチ部材を具備し、前記第二部材の一側には側面開口部を有し、前記側面開口部内には止部を有するロック部材を含み、前記第一部材のラッチ部材は前記第二部材の側面開口部から進入し、前記第一部材が第一位置と第二位置との間で移動を行い、前記第一部材が前記第一位置まで移動すると、前記第一部材が前記第二部材に接近させ、且つ前記ラッチ部材のフック部が前記ロック部材の止部にロックされ、第一部材が前記第二位置まで移動すると、前記第一部材が前記第二部材から離間させ、前記ロック解除装置は前記第一部材及び前記第二部材の内の何れか１つに設置されると共に前記ラッチ部材のフック部と前記ロック部材の止部とを分離させるために用いられ、前記第一部材が前記第一位置から前記第二位置まで移動を行うコントローラとを備え、
これにより、前記第一部材が前記第一位置まで移動すると、前記第一ケースが前記第二ケースに接近させ、且つ前記可撓性部材が湾曲されることにより前記収納スペースが縮小され、前記第一部材が前記第二位置まで移動すると、前記第一ケースが前記第二ケースから離間させることにより前記収納スペースが拡大され、
前記第二部材はベース及びカバーを有し、前記ベースは前記第二ケースに固定され、前記カバーは前記ベースに連結され、
前記第二部材は、前記カバー及び前記ベースを貫通させ、前記カバー及び前記ベースを結合させるためのプラグを有し、
前記ベースは１対の細長いスロットを有し、前記プラグは前記２つの細長いスロットを貫通させ、前記カバーに前記２つの細長いスロット上で延伸される範囲内で前記ベースに対して移動を行わせることを特徴とする収納スペースを拡張可能なスーツケース。
【請求項２】
前記第一部材は前記第一ケースに固定される本体を有し、前記本体には前記ラッチ部材が設置され、前記ラッチ部材の一端は前記本体に連結され、他端は浮き上がった状態を呈すると共に前記フック部を形成させることを特徴とする請求項１に記載の収納スペースを拡張可能なスーツケース。
【請求項３】
前記本体は前記ラッチ部材が設置される開口部を有することを特徴とする請求項２に記載の収納スペースを拡張可能なスーツケース。
【請求項４】
前記ロック解除装置は前記カバーに設置される弾性部材を備え、前記弾性部材の一端は前記カバーに連結され、他端は浮き上がった状態を呈すると共に制動部を形成させ、前記カバーは前記制動部に近接する箇所に前記ロック部材が設置されることを特徴とする請求項１に記載の収納スペースを拡張可能なスーツケース。
【請求項５】
前記第一ケースには前記第一部材が設置される凹部が設けられ、前記第二ケースには前記第二部材が設置される凹部が設けられ、且つ前記第一部材及び前記第二部材の高さは共にこれら前記凹部よりも低いことを特徴とする請求項１に記載の収納スペースを拡張可能なスーツケース。
【請求項６】
前記第一部材及び前記第二部材は前記第一ケース及び前記第二ケースの内側面にそれぞれ設置されることを特徴とする請求項１に記載の収納スペースを拡張可能なスーツケース。